(57)【要約】【課題】他の部材が変形、損傷するおそれがなく、かつ電磁リレーの性能等に影響を及ぼすことがない、簡易な構造の衝撃吸収型の電磁リレーを提供する。【解決手段】鉄心１３をボビン本体１１ｄの中央の孔部１１ｃに貫通させ、ボビン本体１１ｄに通電コイル１２を巻装したコイルボビン１１と、鉄心１３の下端に固定され、作動部１４ｂと吸着部１４ａとより構成された作動片１４をヒンジバネ１５で弾性保持して回動可能に枢支させた継鉄１７とを、ベース２２上に備え、通電コイル１２への通電によって、吸着部１４ａを復帰位置から鉄心１３の上端での吸着位置に切り換えることで、作動部１４ｂを回動させて可動接点１９ａと固定接点１９ｂとを接離させる動作をなす電磁リレー１Ａにおいて、ベース２２上には、吸着部１４ａが吸着される際の衝撃を緩衝するために作動部１４ｂの回動動作に制動を加えるバネ板１６を立設させている。【選択図】図１
2007200638.tif 000002
【特許請求の範囲】
【請求項１】
鉄心をボビン本体の中央の孔部に貫通させ、ボビン本体に通電コイルを巻装したコイルボビンと、鉄心の下端に固定され、作動部と吸着部とより構成された作動片をヒンジバネで弾性保持して回動可能に枢支させた継鉄とを、ベース上に備え、通電コイルへの通電によって、上記吸着部を復帰位置から上記鉄心の上端での吸着位置に切り換えることで、作動部を回動させて可動接点と固定接点とを接離させる動作をなす電磁リレーにおいて、
上記ベース上には、上記吸着部が吸着される際の衝撃を緩衝するために上記作動部の回動動作に制動を加えるバネ材を立設させていることを特徴とする電磁リレー。
【請求項２】
鉄心をボビン本体の中央の孔部に貫通させ、ボビン本体に通電コイルを巻装したコイルボビンと、鉄心の下端に固定され、作動部と吸着部とより構成された作動片をヒンジバネで弾性保持して回動可能に枢支させた継鉄とを、ベース上に備え、通電コイルへの通電によって、上記吸着部を復帰位置から上記鉄心の上端での吸着位置に切り換えることで、作動部を回動させて可動接点と固定接点とを接離させる動作をなす電磁リレーにおいて、
上記ヒンジバネは、その端部を上記ベース上に立設固定され、上記吸着部が吸着される際の衝撃を緩衝するために上記作動部の回動動作に制動を加えるバネ部を分岐形成していることを特徴とする電磁リレー。
【発明の詳細な説明】
【技術分野】
【０００１】
本発明は、接点の接離動作時の衝撃を和らげることの可能な衝撃吸収型の電磁リレーの改良に関するものである。
【背景技術】
【０００２】
従来、通電コイルに通電して電磁石を励磁したときに、作動片の吸着部が鉄心側へ吸引されて吸着する動作の衝撃を和らげるようにした電磁リレー技術が種々、提案されている。特許文献１には、この種の衝撃吸収型の電磁リレーが記載されている。
【０００３】
図５は、この文献に開示されている衝撃吸収型電磁リレーの技術の説明図であり、（ａ）は電磁リレーの側面図、（ｂ）はこの電磁リレーの部分拡大斜視図である。
【０００４】
この電磁リレー１００は、可動接点１０７を設けベース１１１に立設した可動バネ１０６にカード１１０を介して押圧力を付加する作動部１０３ｂと、電磁石１０１の鉄心１０２に吸着させる吸着部１０３ａとが、略Ｌ字状に形成された作動片１０３を有しており、その作動片１０３を継鉄１０５の上端部で回動自在に枢支するための枢支バネ部１０４ｃを備えたヒンジバネ１０４を設けている。そして、そのヒンジバネ１０４を作動片１０３の吸着部１０３ａに沿って延設させ、さらに吸着部１０３ａの先端部を巻き込むように折曲させることによって緩衝バネ部１０４ａを形成し、それによって吸着動作時の衝撃を和らげるようにしている。なお、図中の１０８は固定端子、１０９は固定接点である。
【特許文献１】特開２００２−２４５９１７号公報
【発明の開示】
【発明が解決しようとする課題】
【０００５】
しかしながら、このような緩衝バネ部１０４ａをヒンジバネ１０４の枢支バネ部１０４ｃの近傍に一体的に形成すると、ヒンジバネ１０４全体が複雑な形状となり、そのため延設、折曲した箇所などが変形、損傷しやすくなり、また作動片１０３を回動自在に支持するためのバネ強度を保持できなくなるおそれもある。また、このヒンジバネ１０４は、作動片１０３の復帰時の衝撃を和らげるための復帰時用の緩衝バネ部１０４ｂも一体的に形成しており、さらに複雑な形状となっている。
【０００６】
本発明は、このような事情を考慮して提案されたもので、その目的は、他の部材が変形、損傷することがなく、かつ電磁リレーの性能等に影響を及ぼすことがない、簡易な構造の衝撃吸収型の電磁リレーを提供することにある。
【課題を解決するための手段】
【０００７】
上記目的を達成するために、作動片が鉄心に吸着する際にその吸着動作による衝撃を和らげるために作動片の回動動作を作動部側で制動するようにしたバネ板を設ける構成としたもので、本出願では、このバネ板の設置態様の異なる２つの電磁リレーを提案している。
【０００８】
すなわち、第１の本発明である請求項１に記載の電磁リレーは、鉄心をボビン本体の中央の孔部に貫通させ、ボビン本体に通電コイルを巻装したコイルボビンと、鉄心の下端に固定され、作動部と吸着部とより構成された作動片をヒンジバネで弾性保持して回動可能に枢支させた継鉄とを、ベース上に備え、通電コイルへの通電によって、吸着部を復帰位置から鉄心の上端での吸着位置に切り換えることで、作動部を回動させて可動接点と固定接点とを接離させる動作をなす電磁リレーにおいて、ベース上には、吸着部が吸着される際の衝撃を緩衝するために作動部の回動動作に制動を加えるバネ材を立設させていることを特徴とする。
【０００９】
請求項２では、鉄心をボビン本体の中央の孔部に貫通させ、ボビン本体に通電コイルを巻装したコイルボビンと、鉄心の下端に固定され、作動部と吸着部とより構成された作動片をヒンジバネで弾性保持して回動可能に枢支させた継鉄とを、ベース上に備え、通電コイルへの通電によって、吸着部を復帰位置から鉄心の上端での吸着位置に切り換えることで、作動部を回動させて可動接点と固定接点とを接離させる動作をなす電磁リレーにおいて、ヒンジバネは、その端部をベース上に立設固定され、吸着部が吸着される際の衝撃を緩衝するために作動部の回動動作に制動を加えるバネ部を分岐形成していることを特徴とする。
【発明の効果】
【００１０】
請求項１、２に記載の電磁リレーによれば、作動片の作動部の回動動作に制動を加えるバネ材をベース上に立設させた構造であるため、作動片の吸着部が鉄心に吸引される動作途中において、回動動作が制動されることにより、吸着部の吸着速度が減速されて吸着され、鉄心側への吸着衝撃が吸収、緩和され、そのため動作音も低減される。
【００１１】
特に請求項１に記載のものでは、バネ材が電磁リレーの他の部材とは別体で構成されているため、このバネ材を従来の電磁リレーに付加するだけで、全体として簡易な構造の衝撃吸収型の電磁リレーを構成することができる。また、他の部材をバネ材として代用するものではないため、バネ材が衝撃吸収することにより他の部材が変形、損傷するおそれがなく、かつ電磁リレーの性能等に影響を及ぼすこともない。
ここに、バネ材は実施例のように板状のものには限定されない。作動部の回動動作に制動を加えるものであればよい。
【００１２】
請求項２に記載の電磁リレーによれば、バネ部をヒンジバネより分岐形成させた一体的な構造であるため、部品数を削減することができ、コストダウンが図れる。また、ヒンジバネを固定させている基幹板部よりバネ部を分岐形成させる構造とすれば、バネ部がヒンジバネの主機能である枢支機能をつかさどる枢支バネ部に悪影響を与えることはほとんどない。
ここに、バネ部は実施例のように板状のものには限定されない。作動部の回動動作に制動を加えるものであればよい。
【発明を実施するための最良の形態】
【００１３】
以下に、２つの本発明の実施の形態について、添付図面を参照しながら説明する。
【実施例１】
【００１４】
図１は、第１の本発明の電磁リレーの構造を示した説明図で、（ａ）は平面図、（ｂ）は（ａ）図Ａ−Ａ線の部分断面を含む正面図である。図２は、第１の本発明の電磁リレーの作動片の動作を捕捉説明するための部分斜視図である。
【００１５】
この電磁リレー１Ａは、以下に説明する構成部材を含み、絶縁ベース２２上に構成され、そのベース２２上に配設した各部材をカバーケース（不図示）で覆ったユニット体として形成される。
【００１６】
図１（ａ）、（ｂ）に示すように、この電磁リレー１Ａは、電磁石１０と、作動片１４と、電磁石１０の鉄心１３の下端に固定された継鉄１７と、カード１８と、可動接点１９ａ、固定接点１９ｂからなる制御接点１９と、可動接点１９ａを可動させるための可動バネ２０とをベース２２上に備え、電路端子２１、２４と、コイル端子２５とをベース２２の下方に突出させている。なお、２３はベース２２に一体形成された台座である。
【００１７】
電磁石１０は、中央に孔部１１ｃを有したボビン本体１１ｄの上、下端に鍔部１１ａ、１１ａを連設形成したコイルボビン１１と、孔部１１ｃに貫通させた鉄心１３と、コイルボビン１１の上、下鍔部１１ａの間のボビン本体１１ｄに巻装した通電コイル１２とにより構成される。コイルボビン１１の上端の鍔部１１ａには、その端部から起立し対面した起立周壁１１ｂ、１１ｂが形成されている。また、鉄心１３は、その上端部１３ａが突き出た状態でコイルボビン１１の孔部１１ｃに貫通し、その上端部１３ａを磁極部とする一方、下端部１３ｂを略Ｌ字状の継鉄１７の基端部１７ｂで固定している。
【００１８】
継鉄１７は磁性材料からなり、基端部１７ｂが鉄心１３の下端部１３ｂに固定される一方、起立部１７ａは作動片１４をヒンジバネ１５によって回動自在に枢支させる構成となっている。この継鉄１７は作動片１４とともに、電磁石１０が励磁されることにより発生する磁束の磁路となる。
【００１９】
作動片１４は、制御接点１９に接離動作をさせるための作動部１４ｂと、鉄心１３側に吸引されて吸着する吸着部１４ａとを有し、略Ｌ字状に折曲形成され、その枢支部１４ｃ（図２参照）が継鉄１７の起立部１７ａの先端に載置されている。
【００２０】
ヒンジバネ１５は非磁性材料からなり、図２に示すように、作動片１４の折曲部分に開口した開口部１４ｄより上方に突き出た枢支バネ部１５ａでもって、作動片１４を継鉄１７の起立部１７ａの先端に載置させた枢支部１４ｃを回動中心として復帰位置と吸着位置との間を往復運動する際に、回動中心がずれないように、弾性力を作用させて枢支している。このヒンジバネ１５は、枢支バネ部１５ａの下方に連続形成された基幹板部１５ｂがベース２２、継鉄１７などに固着され、支持されている。
【００２１】
なお、電磁石１０に通電していないときは、後述する可動バネ２０の弾性力によって、吸着部１４ａが鉄心１３の上端部１３ａとの間にギャップを形成し、復帰位置に保持される。
【００２２】
可動バネ２０は薄板バネ材で形成され、その上端部には可動接点１９ａが設けられている。一方の固定端子側の電路端子２１は、その上端部に固定接点１９ｂが設けられている。これら可動接点１９ａと固定接点１９ｂは１組の制御接点１９を構成し、可動バネ２０の可動によって接離可能に対向して配設されている。
【００２３】
カード１８は、樹脂等の成形材料によりなり、本体板部１８ａと、左、右の係止部１８ｂ、１８ｃとを備え、左係止部１８ｂが作動片１４の作動部１４ｂに係止されるとともに、右係止部１８ｃが可動バネ２０の上端で係止されている。
【００２４】
本実施例では、作動片１４の吸着部１４ａが鉄心１３に吸着される際の衝撃を緩衝するために、作動片１４の作動部１４ｂと可動バネ２０との間に、さらに、作動部１４ｂの回動動作に制動を加えるバネ板１６をベース２２上に立設させている。なお本例では、可動バネ２０との間に、正面視十字形のカード１８を介在させているため、バネ板１６は作動部１４ｂとカード１８の本体板部１８ａとの間に配置される。
【００２５】
次に、電磁リレー１Ａの動作について説明する。なお、図１（ａ）、（ｂ）および図２はいずれも、電磁石１０を励磁していない状態で、作動片１４が復帰位置に復帰している状態を示している。
【００２６】
通電コイル１２に通電して電磁石１０が励磁されると、鉄心１３が磁化され、磁束が発生し、閉磁路を形成するように、作動片１４の吸着部１４ａが鉄心１３の上端部１３ａ側に吸引されて、復帰位置から鉄心１３の上端部１３ａでの吸着位置に切り換えるように矢印Ｒ方向に回動する。これにより、作動片１４の作動部１４ｂは矢印Ｐ方向に回動し、作動部１４ｂに係止されたカード１８が継鉄１７から離反するように駆動されて、そのカード１８によって可動バネ２０がその弾性力に抗して押圧され、可動接点１９ａが固定接点１９ｂに接触する。
【００２７】
通電コイル１２への通電を停止すると、磁束が消去され磁気吸引力がなくなるが、このとき、可動バネ２０の弾性力がカード１８に対し作用しているため、カード１８に係止された作動部１４ｂは継鉄１７に近づく方向に回動する。その結果、作動部１４ｂが継鉄１７側に移動し、可動接点１９ａが固定接点１９ｂから開離する。そして、作動片１４の吸着部１４ａは、鉄心１３の上端部１３ａから復帰位置まで回動復帰する。
【００２８】
本発明では、通電コイル１２に通電して吸着部１４ａが鉄心１３側に吸引されるときに、バネ板１６によって吸着部１４ａの吸着動作による衝撃を緩和するようにしたものであるが、このバネ板１６は制動を加えるものであれば、板材には限定されない。
【００２９】
すなわち、作動部１４ｂがカード１８を押圧し、可動接点１９ａを固定接点１９ｂに接触させるまでの動作途中において、作動部１４ｂはバネ板１６に接触し、そのバネ板１６の復帰弾性力によって制動を受けながら回動する。そのため、作動部１４ｂと一体となった吸着部１４ａも、鉄心１３への吸引速度が減速されて吸引され、鉄心１３への吸着衝撃が吸収、緩和され、動作音も低減される。
【００３０】
また、バネ板１６は電磁リレー１Ａの他の部材とは別体で構成されているため、調整が容易であり、かつ、このバネ板１６を従来の電磁リレーに付加するだけで、全体として簡易な構造の衝撃吸収型の電磁リレーを構成することができる。さらに、他の部材をバネ板として代用したり、他の部材にバネ部を一体化して設けたりするものではないため、他の部材がバネ板１６の影響を受けることにより変形、損傷するおそれは少なく、かつ電磁リレーの性能等に影響を及ぼすおそれもない。
【００３１】
また、この電磁リレー１Ａでは、バネ板１６が作動片１４の作動部１４ｂの回動動作を制動することによって、間接的に吸着部１４ａの吸引速度を減速させる構成であるため、吸着部１４ａが確実に吸着され、かつ吸着位置で吸着する直前位置で減速できるように、バネ板１６の立設位置を調整することが望ましいことは言うまでもない。
【実施例２】
【００３２】
図３は、第２の本発明の電磁リレーの構造を示した説明図で、（ａ）は平面図、（ｂ）は（ａ）図Ｂ−Ｂ線の部分断面を含む正面図である。
【００３３】
本実施例のバネ板１６は、作動片１４の作動部１４ｂと可動バネ２０との間に介在されるように、ヒンジバネ１５の枢支バネ部１５ａの下方に立設された基幹板部１５ｂ（図４（ａ）参照）の適所より分岐してヒンジバネ１５に一体的に形成されたものである。このバネ板１６は制動を加えるものであれば、板材には限定されない。
【００３４】
なお、本実施例に記載の電磁リレー１Ｂも実施例１と同様、磁気吸着される際にバネ板１６によって吸着衝撃を緩和するようにしたものであるため、他の構成部分については実施例１と同一の符号を付してその説明を省略するとともに、復帰動作についても説明を省略する。
【００３５】
また、電磁石１０が励磁されたときの動作についても実施例１と同様であり、すなわち、通電コイル１２に通電して電磁石１０が励磁されると、磁束が発生し、実施例１と同様に、作動片１４の回動動作によって可動接点１９ａと固定接点１９ｂとが接離する動作をなし、その際に、作動部１４ｂはバネ板１６に接触し、バネ板１６の復帰弾性力によって制動を受けながら回動する。
【００３６】
作動片１４の作動部１４ｂの回動動作が制動を受けるため、吸着部１４ａの鉄心１３への吸着速度が減速され、そのため、鉄心１３側への吸着衝撃が吸収、緩和され、動作音も低減される。
【００３７】
この構成では、バネ板１６をヒンジバネ１５に一体形成したものであるが、ベース２２等に固定されたヒンジバネ１５の基幹板部１５ｂでバネ板１６を分岐形成させる構造であるため、バネ板１６の作動が、ヒンジバネ１５の主機能である枢支機能をつかさどる枢支バネ部１５ａに悪影響を与えることはない。また、バネ板１６をヒンジバネ１５と一体的に形成しているため、部品数を削減することができ、コストダウンが図れる。
【００３８】
図４（ａ）には、図３の例で採用したバネ板１６を含むヒンジバネ１５の部分斜視図を示している。なお、バネ板１６とヒンジバネ１５とはネジ、溶接等により固着させればよい。
【００３９】
また図４（ｂ）には、バネ板の他例を示しており、（ｂ−１）はバネ板１６付きヒンジバネ１５のバネ板１６側から見た正面図、（ｂ−２）はその左側面図である。この例では、ヒンジバネ１５を正面視したときの左、右の端縁の適所より、Ｌ字状、逆Ｌ字状の分岐板を延在させたもので、そのＬ字状部、逆Ｌ字状部の起立片１６が、緩衝用のバネ板として作用するように、作動部１４ｂと可動バネ２０との間に介在されるよう起立形成される。
【００４０】
なおこの場合、バネ板１６は左右いずれか一方のみでも吸着衝撃を緩和することは可能であるが、作動部１４ｂの接触時の接触負荷が左右の片側に集中することによる基幹板部１５ｂの劣化を防止するために、バネ板１６は左右両方に設けることが望ましい。
【００４１】
また、電磁リレーは、常閉型のものを実施例として示したが、コイル通電時の作動部の動作を逆にすれば常開型リレーに適用できることは言うまでもない。
【図面の簡単な説明】
【００４２】
【図１】第１の本発明の電磁リレーの構造を示した説明図で、（ａ）は平面図、（ｂ）は（ａ）図Ａ−Ａ線の部分断面を含む正面図である。
【図２】第１の本発明の電磁リレーの作動片の動作を捕捉説明するための部分斜視図である。
【図３】第２の本発明の衝撃吸収型電磁リレーの構造を示した説明図で、（ａ）は平面図、（ｂ）は（ａ）図Ｂ−Ｂ線の部分断面を含む正面図である。
【図４】第２の本発明で使用するヒンジバネの２例の要部斜視図である。
【図５】（ａ）は文献１に示した従来の衝撃吸収型電磁リレーを示した正面図、（ｂ）は同要部拡大斜視図である。
【符号の説明】
【００４３】
１Ａ、１Ｂ      電磁リレー
１０      電磁石
１１      コイルボビン
１１ａ      鍔部
１１ｃ      孔部
１１ｄ      ボビン本体
１２      コイル
１３      鉄心
１３ａ      上端部
１４      作動片
１４ａ      吸着部
１４ｂ      作動部
１４ｃ      枢支部
１５      ヒンジバネ
１５ａ      枢支バネ部
１５ｂ      基幹板部
１６      バネ板（バネ材、バネ部）
１７      継鉄
１８      カード
１９      制御接点
１９ａ      可動接点
１９ｂ      固定接点
２０      可動バネ
２１      電路端子
２２      ベース
【図１】
2007200638.tif 000003
【図２】
2007200638.tif 000004
【図３】
2007200638.tif 000005
【図４】
2007200638.tif 000006
【図５】
2007200638.tif 000007